(57)【要約】【課題】液状または粉粒状の内容物を個包装し密封する小袋であって、開封後も開封口から中身がこぼれないように置くことができる小袋を提供する。【解決手段】上下二面のフィルムを袋状にヒートシールしてなり、内部に液状または粉粒状の内容物が密封される小袋であって、仕切りシールが、内容物収納部を仕切るよう縦方向に垂直に設けられ、仕切りシールの中心部にミシン目が入っていることを特徴とする小袋。【選択図】図１
2008013250.tif 000002
【特許請求の範囲】
【請求項１】
上下二面のフィルムを袋状にヒートシールしてなり、内部に液状または粉粒状の内容物が密封される小袋であって、仕切りシールが、内容物収納部を仕切るよう縦方向に垂直に設けられ、仕切りシールの中心部にミシン目が入っていることを特徴とする小袋。
【請求項２】
小袋が低重心になるよう、内容物収容部が上部容量より下部容量が多くなるような形状であること特徴とする請求項１に記載の小袋。
【請求項３】
仕切りシール部が、内容物収納部の上部を除いて設けられていることを特徴とする請求項１および２に記載の小袋。
【請求項４】
小袋の上部に内容物を出す注出口が備えられていることを特徴とする請求項１および２および３に記載の小袋。
【発明の詳細な説明】
【技術分野】
【０００１】本発明は、小袋に関し、詳しくはしょう油やシャンプーといった液状、または、ふりかけや粉薬といった粉粒状の内容物を個包装し密封する小袋であって、自立を可能にした小袋に関する。
【背景技術】
【０００２】弁当や惣菜等のテイクアウト食品には、しょう油、ドレッシングといった調味料や、マーガリン、胡麻といった食品の小袋が添付されていることがあるが、これらはテイクアウト食品を食べる際に開封され、テイクアウト食品への味付けや他の容器への移し替えが済むと、皿やテーブルなどの上に横に寝かせた状態で置かれる。また、調味料や食品以外にも、化粧品やシャンプーの試供品など、使い切りの量が封入された小袋があるが、これらも開封後は寝かせた状態で置かれる。
【発明の開示】
【発明が解決しようとする課題】
【０００３】小袋を開封後横に寝かせた状態で置いておくと、開封口が置いた面に接してしまうため、小袋内に残った内容物が開封口からこぼれてしまい、置いた面が汚れるという問題があった。前記の課題を解決するためには、小袋の開封口が小袋を置いた面に接しなければいい、すなわち、小袋を寝かせた状態ではなく立たせた状態で置くことができればいい。そこで本発明は、自立する小袋を提供することを目的とする。
【課題を解決するための手段】
【０００４】上記課題は、以下の本発明によって解決することができる。請求項１に記載した発明は、上下二面のフィルムを袋状にヒートシールしてなり、内部に液状または粉粒状の内容物が密封される小袋であって、仕切りシールが、内容物収納部を仕切るよう縦方向に垂直に設けられ、仕切りシールの中心部にミシン目が入っていることを特徴とする小袋からなる。【０００５】上記小袋の形状は、特に限定されないが、三方シール形式、四方シール形式、ピロータイプ、スティックタイプ、またはそれらの変形タイプなどの形状が適している。仕切りシールは小袋に垂直に設け、その数は任意であるが多すぎないことが望ましい。また、仕切られた内容物収納部それぞれの大きさおよび容量には大きな差がないことが望ましい。【０００６】小袋を自立させる際、小袋を支える辺が一辺だと強度不足ため自立は不可能である。しかし上記のように構成することにより、仕切りシールに設けられたミシン目で小袋を縦に折ることができ、小袋の底部が多辺になる。それにより小袋を自立させる際に多辺で支えることとなり、小袋を自立させる際、小袋を支える強度が増し自立が可能になる。【０００７】請求項２に記載した発明は、小袋が低重心になるよう、内容収容部が上部容量より下部容量が多くなるような形状であること特徴とする請求項１に記載の小袋からなる。【０００８】このように構成することにより、小袋の下部が重くなるため小袋全体の重心が低くなり、小袋を自立させる際の安定感がさらに増すこととなる。【０００９】請求項３に記載した発明は、仕切りシール部が、内容物収納部の上部を除いて設けられていることを特徴とする請求項１または２に記載の小袋からなる。【００１０】このように構成することにより、内容物収納部が完全に仕切られないため、一つの注出口から内容物をすべて注出することができる。【００１１】請求項４に記載した発明は、小袋の上部に内容物を出す注出口が備えられていることを特徴とする請求項１または２または３に記載の小袋からなる。【００１２】このように構成することにより、内容物を上部から注出することで、小袋内に内容物が残った状態で自立させた場合も注出口から内容物がこぼれることがない。また注出口を簡単に開封できるよう切り込み等が設けられていることが望ましい。
【発明を実施するための最良の形態】
【００１３】上記の本発明について、図面を用いて説明する。但し、本発明はこれらの図面に限定されるものではない。図１は本発明の小袋の第１の実施例の構成を示す平面図、図２は図１で示した第１の実施例の自立状態を示す立体図、図３は本発明の小袋の第２の実施例の構成を示す平面図であり、図中の１はヒートシール部、２は仕切りシール部、３はミシン目、４は注出口、５は切り込み、１０，１１，１２は内容物収納部、Ａ，Ｂ，Ｃは小袋をそれぞれ示す。【００１４】図１に示した小袋Ａは、上部に注出口４を設けた三方シール形式で製袋されており、仕切りシール２が、小袋Ａの中心部に底辺に垂直方向に一箇所、上部をわずかに開けて設けられ、さらに仕切りシール２の中心部にミシン目３が施されている。さらに内容物収納部１０，１１の形状を、小袋Ａ上部を頂点とした三角形に構成したものである。【００１５】このような構成をとることで、仕切りシール２に縦方向一箇所に施されたミシン目３によって小袋Ａを折ることができる。ミシン目３で小袋Ａを折ることで、小袋Ａの底が二辺になる。辺が増えることで小袋Ａを支える強度が増すため、小袋Ａを自立させることができる。さらに、内容物収納部１０，２０を小袋Ａ上部を頂点とした三角形にすることで、小袋Ａが低重心になり小袋Ａを自立させる際の安定感が増すこととなる。また、仕切りシール２は上部を開けて設けられているため、内容物収納部１０，２０は完全に分割されず、内容物を一箇所の注出口４から注出することが可能となる。注出口４は、ヒートシール部１に設けられた切り込み５によって簡単に開封することができる。【００１６】図２に示した小袋Ｂは、図１に示した小袋Ａを自立させたときの小袋を示している。【００１７】内容物の注出口４を上部に設けていることにより、開封後、小袋Ｂ内に内容物が残った状態で小袋Ｂを自立させても内容物が注出口４からこぼれることを防ぐ。【００１８】図３に示した小袋Ｃは、上部に注出口４を設けた三方シール形式で製袋されており、仕切りシール２が、小袋Ｃの底辺に垂直方向に二箇所、それぞれ上部をわずかに開けて設けられている。仕切りシール２は下部になるにつれて幅が狭まる形状になっており、さらに中心部にはミシン目３が施されている。【００１９】このような構成をとることで、仕切りシール２に施されたミシン目３によって小袋Ｃを折ることができる。二箇所のミシン目３で小袋Ｃを折ることで、小袋Ｃの底が三辺になる。辺が増えることで小袋Ｃを支える強度が増すため、小袋Ｃを自立させることができる。さらに、仕切りシール２を下部になるにつれて幅が狭まった形状にすることで下部になるにつれて容量が増える。それにより小袋Ｃは低重心になり、小袋Ｃを自立させる際の安定感が増すこととなる。また、それぞれの仕切りシール２は上部を開けて設けられているため、内容物収納部１０，２０，３０が完全に分割されず、一箇所の注出口４から内容物を注出することが可能である。注出口４は、ヒートシール部１に設けられた切り込み５によって簡単に開封することができる。
【発明の効果】
【００２０】本発明の自立小袋によると、小袋を横に寝かせて置くのではなく、立てて置くことが可能である。そのため、小袋の開封口と置いた面が接することがなく、開封後袋に残った内容物が置いた面にこぼれず、置いた面を汚すことがない。また、従来の小袋と形状や大きさがほぼ同じであるため、流通等の際、従来の小袋と同様に扱うことが可能である。
【図面の簡単な説明】
【００２１】
【図１】本発明の小袋の第１の実施例の構成を示す平面図である。
【図２】図１で示した第１の実施例の自立状態を示す立体図である。
【図３】本発明の小袋の第２の実施例の構成を示す平面図である。
【符号の説明】
【００２２】１０，２０，３０  内容物収納部
１                シール部
２                仕切りシール部
３                ミシン目
４                内容物注出口
５                切り込み
Ａ，Ｂ，Ｃ        小袋
【図１】
2008013250.tif 000003
【図２】
2008013250.tif 000004
【図３】
2008013250.tif 000005